(57)【特許請求の範囲】
【請求項１】
対向配置されて互いに磁気結合可能な第１のコイルと第２のコイルとをそれぞれが有する第１ないし第３のコモンモードチョークコイル部と、これら第１ないし第３のコモンモードチョークコイル部を内包した１つの絶縁体と、この絶縁体の外側面に設けられ、入力側端子又は出力側端子として用いられる第１ないし第４の外部電極と、絶縁体の外側面に設けられ、これら第１ないし第４の外部電極とは逆に、出力側端子又は入力側端子として用いられる第５ないし第８の外部電極とを備えるノイズ対策部品であって、
上記第１のコモンモードチョークコイル部の第１のコイルの一方端部は、上記第１の外部電極に接続され、当該第１のコモンモードチョークコイル部の第２のコイルの一方端部は、上記第２の外部電極に接続され、
上記第２のコモンモードチョークコイル部の第１のコイルの一方端部は、上記第３の外部電極に接続され、当該第１のコイルの他方端部は、上記第７の外部電極に接続され、当該第２のコモンモードチョークコイル部の第２のコイルの一方端部は、上記第１のコモンモードチョークコイル部の第１のコイルの他方端部に接続され、当該第２のコイルの他方端部は、上記第５の外部電極に接続され、
上記第３のコモンモードチョークコイル部の第１のコイルの一方端部は、上記第４の外部電極に接続され、当該第１のコイルの他方端部は、上記第８の外部電極に接続され、当該第３のコモンモードチョークコイル部の第２のコイルの一方端部は、上記第１のコモンモードチョークコイル部の第２のコイルの他方端部に接続され、当該第３のコモンモードチョークコイル部の第２のコイルの他方端部は、上記第６の外部電極に接続されている、
ことを特徴とするノイズ対策部品。
【請求項２】
請求項１に記載のノイズ対策部品において、
上記第１ないし第３のコモンモードチョークコイル部同士が互いに磁気的影響を受けないように、これら第１ないし第３のコモンモードチョークコイル部を所定距離だけ離した状態で上記絶縁体に内包させた、
ことを特徴とするノイズ対策部品。
【請求項３】
請求項１又は請求項２に記載のノイズ対策部品において、
第２のコモンモードチョークコイル部における上記第１のコイルの一方端部に、幅広の電極部を設け、当該電極部を第１のコモンモードチョークコイル部における上記第１のコイルに近接させることで、第１のコンデンサ部を形成し、
第３のコモンモードチョークコイル部における上記第１のコイルの一方端部に、幅広の電極部を設け、当該電極部を第１のコモンモードチョークコイル部における上記第２のコイルに近接させることで、第２のコンデンサ部を形成した、
ことを特徴とするノイズ対策部品。
【発明の詳細な説明】
【技術分野】
【０００１】
この発明は、コモンモードチョークコイル等のノイズ除去回路を１チップ内に複数回路納めて実装面積の狭小化を図ったノイズ対策部品に関するものである。
【背景技術】
【０００２】
従来、この種のノイズ対策部品としては、例えば特許文献１に開示の技術がある。
このノイズ対策部品は、１対の差動伝送線路に挿入されるコモンモードチョークコイル部と、電源・グランド線路に挿入されるフェライトビーズとを備えている。
これにより、逆方向の差動信号が、差動伝送線路からコモンモードチョークコイル部に入力した場合には、減衰させずに円滑に通過させる。このように、逆方向の電流が１対の差動伝送線路に流れる場合を、以下「ディファレンシャルモード」と記す。
そして、同方向のコモンモード電流が１対の差動伝送線路に侵入して、この電流と逆向きの電流がグランド線路に流れた場合には、コモンモードチョークコイル部が機能して、コモンモード電流を減衰させるようになっている。このように、同方向の電流が１対の差動伝送線路に流れ、この電流と逆向きの電流がグランド線路に流れる場合を、以下「１次コモンモード」と記す。
しかし、同方向のコモンモード電流が１対の差動伝送線路だけでなく、グランド線路にも流れる場合には、これらのコモンモード電流を減衰させることができず、ノイズが伝送ケーブルから輻射するおそれがある。このように、同方向の電流が１対の差動伝送線路だけでなく、グランド線路にも流れる場合を、以下「２次コモンモード」と記す。
このような２次コモンモードの電流を減衰させることができるノイズ対策部品として、例えば特許文献２に開示の技術がある。
図２０は、２次コモンモードの電流を減衰可能な従来技術の一例を示す回路図であり、図２１は、従来技術の作用を説明するための回路図である。
図２０に示すように、部品１００は、近接した４つのコイル１０１〜１０４を有した構成になっている。この部品１００は、トランシーバ１１０とレシーバ１１１とを接続した伝送ケーブル１２０上に実装される。具体的には、部品１００のコイル１０１，１０４が、伝送ケーブル１２０のグランド線路１２１，１２４にそれぞれ接続され、コイル１０２，１０３が、差動伝送線路１２２，１２３にそれぞれ接続される。
これにより、図２１に示すように、同方向の４つのコモンモード電流Ｉがコイル１０１〜１０４内に流れ、逆向きの電流−Ｉがシャーシ等のセットグランド１３０に流れて、２次コモンモードになると、コイル１０１〜１０４を流れる電流Ｉが同方向であるため、各電流Ｉの磁束ｈが足し合わされて、合成磁束Ｈが大きくなる。この結果、部品１００のインピーダンスが高くなり、４つのコモンモード電流Ｉが部品１００によって減衰される。
【０００３】
【特許文献１】特開２００５−３０２８１０号公報
【特許文献２】特開２００６−１９１００６号公報
【発明の開示】
【発明が解決しようとする課題】
【０００４】
しかし、図２０に示した従来のノイズ対策部品では、次のような問題がある。
図２２は、従来技術の問題点を説明するための回路図である。
１次コモンモードにおいては、図２２に示すように、同方向のコモンモード電流Ｉが部品１００のコイル１０２，１０３に流れ、逆向きの電流−Ｉがコイル１０１，１０４に流れる。このような１次コモンモード状態では、コイル１０１，１０２を流れる電流Ｉが逆向きで、これらのコイル１０１，１０２については、ディファレンシャルモード状態を維持し、コイル１０３，１０４を流れる電流Ｉも逆向きであり、これらコイル１０３，１０４についても同様にデファレンシャル状態を維持する必要がある。
しかしながら、従来の部品１００では、近接した４つのコイル１０１〜１０４の電磁結合度が非常に高い。このため、コイル１０１，１０２（又はコイル１０３，１０４）から漏れた磁界がコイル１０１，１０２（又はコイル１０３，１０４）とクロストークして、コイル１０１，１０２（又はコイル１０３，１０４）にディファレンシャルモード電流Ｉ，Ｉと別の電流を誘起させ、コイル１０１，１０２（又はコイル１０３，１０４）のディファレンシャルモードが損なわれると共に、この誘起電流による輻射ノイズが発生するおそれがある。
【０００５】
この発明は、上述した課題を解決するためになされたもので、１次コモンモードのコモンモード電流と２次コモンモードのコモンモード電流との双方を確実に除去可能なノイズ対策部品を提供することを目的とする。
【課題を解決するための手段】
【０００６】
上記課題を解決するために、請求項１の発明は、対向配置されて互いに磁気結合可能な第１のコイルと第２のコイルとをそれぞれが有する第１ないし第３のコモンモードチョークコイル部と、これら第１ないし第３のコモンモードチョークコイル部を内包した１つの絶縁体と、この絶縁体の外側面に設けられ、入力側端子又は出力側端子として用いられる第１ないし第４の外部電極と、絶縁体の外側面に設けられ、これら第１ないし第４の外部電極とは逆に、出力側端子又は入力側端子として用いられる第５ないし第８の外部電極とを備えるノイズ対策部品であって、第１のコモンモードチョークコイル部の第１のコイルの一方端部は、第１の外部電極に接続され、当該第１のコモンモードチョークコイル部の第２のコイルの一方端部は、第２の外部電極に接続され、第２のコモンモードチョークコイル部の第１のコイルの一方端部は、第３の外部電極に接続され、当該第１のコイルの他方端部は、第７の外部電極に接続され、当該第２のコモンモードチョークコイル部の第２のコイルの一方端部は、第１のコモンモードチョークコイル部の第１のコイルの他方端部に接続され、当該第２のコイルの他方端部は、第５の外部電極に接続され、第３のコモンモードチョークコイル部の第１のコイルの一方端部は、第４の外部電極に接続され、当該第１のコイルの他方端部は、第８の外部電極に接続され、当該第３のコモンモードチョークコイル部の第２のコイルの一方端部は、第１のコモンモードチョークコイル部の第２のコイルの他方端部に接続され、当該第３のコモンモードチョークコイル部の第２のコイルの他方端部は、第６の外部電極に接続されている構成とした。
かかる構成により、第１及び第２の外部電極を１対の差動伝送線路の例えば入力側に接続すると共に、第５及び第６の外部電極を出力側に接続することができる。また、第３及び第４の外部電極を１対のグランド線路の例えば入力側に接続すると共に、第７及び第８の外部電極を出力側に接続することができる。
かかる状態で、逆方向の１対の差動信号を、１対の差動伝送線路を通じて第１及び第２の外部電極に入力すると、ディファレンシャルモードなる。
かかるモードでは、第１の外部電極から入力した一方の差動信号の電流が、第１のコモンモードチョークコイル部の第１のコイルから第２のコモンモードチョークコイル部の第２のコイルを流れ、第５の外部電極を通じて、差動伝送線路に出力される。一方、他方の差動信号の電流は、上記一方の電流と逆方向であり、第６の外部電極から第３のコモンモードチョークコイル部の第２のコイルを通じて第１のコモンモードチョークコイル部の第２のコイルを流れ、第２の外部電極を通じて、差動伝送線路に出力される。したがって、第１のコモンモードチョークコイル部において、１対の差動信号の電流が第１のコイルと第２のコイルとを逆方向に流れるので、互いに磁束を打ち消し合う。また、第２及び第３のコモンモードチョークコイル部において、各電流が一方の第２のコイルのみに流れるので、第２及び第３のコモンモードチョークコイル部の第２のコイルを流れる電流による磁束の増加は生じない。この結果、部品全体のインピーダンスの増加はなく、１対の差動信号は、部品内を円滑に流れる。
ところで、１対の同方向のコモンモード電流が、１対の差動伝送線路を流れて、第１及び第２の外部電極に入力し、これらのコモンモード電流とは逆方向の１対の電流が、１対のグランド線路を流れて、第７及び第８の外部電極に入力し、１次コモンモードになる場合がある。
かかるモードでは、１対のコモンモード電流が第１のコモンモードチョークコイル部の第１及び第２のコイルを同方向に流れるので、互いに磁束を強め合い、この部分のインピーダンスが増加する。この結果、１対の差動伝送線路を流れて、第１及び第２の外部電極に入力した同方向のコモンモード電流は、第１のコモンモードチョークコイル部によって減衰される。このとき、逆方向の１対の電流が、第２及び第３のコモンモードチョークコイル部の第１のコイルに流れるが、これら電流による磁束の影響は、第２及び第３のコモンモードチョークコイル部の第２のコイルに生じる磁束にのみ与え、第１のコモンモードチョークコイル部の第１及び第２のコイルに生じる磁束には影響を与えない。
また、１対の同方向の電流が、１対の差動伝送線路を流れて、第１及び第２の外部電極に入力し、さらに、これらの電流と同方向の１対の電流が、１対のグランド線路を流れて、第３及び第４の外部電極に入力し、これら２対の電流とは逆方向の電流がシャーシ等のセットグランドに流れて、２次コモンモードになる場合がある。
かかるモードでは、第１の外部電極からの電流が、第１のコモンモードチョークコイル部の第１のコイルを通じて第２のコモンモードチョークコイル部の第２のコイルに流れると共に、第３の外部電極からの電流が第２のコモンモードチョークコイル部の第１のコイルに流れ、しかも、同方向のコモンモード電流であるので、互いに磁束を強め合い、この部分のインピーダンスが増加する。この結果、第１及び第３の外部電極に入力した同方向のコモンモード電流は、第２のコモンモードチョークコイル部によって減衰される。一方、第２の外部電極からの電流が、第１のコモンモードチョークコイル部の第２のコイルを通じて第３のコモンモードチョークコイル部の第２のコイルに流れると共に、第４の外部電極からの電流が第３のコモンモードチョークコイル部の第１のコイルに流れる。この場合も、同方向のコモンモード電流が第３のコモンモードチョークコイル部の第１及び第２のコイルを流れるので、互いに磁束を強め合い、この部分のインピーダンスが増加する。この結果、第２及び第４の外部電極に入力した同方向のコモンモード電流は、第３のコモンモードチョークコイル部によって減衰される。
【０００７】
請求項２の発明は、請求項１に記載のノイズ対策部品において、第１ないし第３のコモンモードチョークコイル部同士が互いに磁気的影響を受けないように、これら第１ないし第３のコモンモードチョークコイル部を所定距離だけ離した状態で上記絶縁体に内包させた構成とする。
かかる構成により、第１ないし第３のコモンモードチョークコイル部間のクロストークを低減させることができるので、磁束の回り込みによって発生する不要なコモンモード電流を抑制することができる。
【０００８】
請求項３の発明は、請求項１又は請求項２に記載のノイズ対策部品において、第２のコモンモードチョークコイル部における第１のコイルの一方端部に、幅広の電極部を設け、電極部を第１のコモンモードチョークコイル部における第１のコイルに近接させることで、第１のコンデンサ部を形成し、第３のコモンモードチョークコイル部における第１のコイルの一方端部に、幅広の電極部を設け、電極部を第１のコモンモードチョークコイル部における第２のコイルに近接させることで、第２のコンデンサ部を形成した構成とする。
かかる構成により、１次コモンモード時には、第１のコモンモードチョークコイル部における第１のコイルの一方端部と第２のコモンモードチョークコイル部における第１のコイルの一方端部との間に電位差が生じると共に、第１のコモンモードチョークコイル部における第２のコイルの一方端部と第３のコモンモードチョークコイル部における第１のコイルの一方端部との間に電位差が生じるので、第１のコモンモードチョークコイル部で除去できない１対のコモンモード電流が、第１のコモンモードチョークコイル部から第１及び第２のコンデンサ部を通じて、第２及び第３のコモンモードチョークコイル部における各第１のコイルの一方端部側に流れ、第３及び第４の外部電極を通じて１対のグランド線路に流出する。
２次コモンモード時においては、第１及び第２のコンデンサ部の両端に電位差が生じないため、第１及び第２の外部電極から入力した電流が、第１のコモンモードチョークコイル部から第２及び第３のコモンモードチョークコイル部の第１のコイル側に流れることはない。
【発明の効果】
【０００９】
以上詳しく説明したように、この発明のノイズ対策部品によれば、ディファレンシャルモードの場合には、１対の差動信号を円滑に通過させ、１次コモンモードの場合には、コモンモード電流を第１のコモンモードチョークコイル部で減衰させ、２次コモンモードの場合には、コモンモード電流を第２及び第３のコモンモードチョークコイル部でそれぞれ減衰させることができるので、１次コモンモードのコモンモード電流と２次コモンモードのコモンモード電流との双方を確実に除去することができるという優れた効果がある。しかも、１チップで全てのモードに対応することができるので、実装面積を狭小化することができる。
【００１０】
特に、請求項２の発明によれば、１次及び２次コモンモードにおけるコモンモード電流除去効果をさらに高めることができる。
【００１１】
また、請求項３の発明によれば、１次コモンモードにおけるコモンモード電流除去効果をさらに高めることができる。
【発明を実施するための最良の形態】
【００１２】
以下、この発明の最良の形態について図面を参照して説明する。
【実施例１】
【００１３】
図１は、この発明の第１実施例に係るノイズ対策部品の分解斜視図であり、図２は、内部を透過して示すノイズ対策部品の斜視図である。
【００１４】
この実施例のノイズ対策部品１は、図１及び図２に示すように、第１ないし第３のコモンモードチョークコイル部としての３つのコモンモードチョークコイル部１０，２０，３０と、これら３つのコモンモードチョークコイル部１０，２０，３０を内包した直方体状の絶縁体４と、絶縁体４を上下から挟んだ１対の磁性体基板５１，５２と、第１ないし第８の外部電極としての８つの外部電極６−１〜６−８とを備えている。
【００１５】
図３は、ノイズ対策部品１の概略等価回路図である。
ここで、ノイズ対策部品１の電気的構造を図３に基づいて説明しておく。
図３に示すように、コモンモードチョークコイル部１０は、第１のコイルとしてのコイル１１と第２のコイルとしてコイル１２とを有し、コイル１１，１２は、対向配置されて、通電時に互いに磁気結合する。
同様に、コモンモードチョークコイル部２０（３０）も、対向配置されて互いに磁気結合可能な第１のコイルとしてのコイル２１（３１）と第２のコイルとしてコイル２２（３２）とを有している。
【００１６】
外部電極６−１〜６−８は、ノイズ対策部品１を伝送ケーブルや基板上のランド等半田付けするための電極である。
図２にも示すように、外部電極６−１〜６−４は、絶縁体４の１つの外側面４ａに列設されており、入力側端子又は出力側端子として用いられる。一方、外部電極６−５〜６−８は、外側面４ａと対向する外側面４ｂに列設されており、これらの外部電極６−５〜６−８は、外部電極６−１〜６−４とは逆に、出力側端子又は入力側端子として用いられる。
【００１７】
そして、図３に示すように、コモンモードチョークコイル部１０のコイル１１の一方端部１１ａが、上記外部電極６−１に接続され、コイル１２の一方端部１２ａが外部電極６−２に接続されている。また、コモンモードチョークコイル部２０のコイル２１の一方端部２１ａ，他方端部２１ｂは、外部電極６−３，外部電極６−７にそれぞれ接続されている。そして、コイル２２の一方端部２２ａが、コモンモードチョークコイル部１０のコイル１１の他方端部１１ｂに接続され、他方端部２２ｂが外部電極６−５に接続されている。また、コモンモードチョークコイル部３０のコイル３１の一方端部３１ａ，他方端部３１ｂは、外部電極６−４，外部電極６−８にそれぞれ接続されている。そして、コイル３２の一方端部３２ａが、コモンモードチョークコイル部１０のコイル１２の他方端部１２ｂに接続され、他方端部３２ｂが外部電極６−６に接続されている。
【００１８】
このような電気的構造をとるノイズ対策部品１は、積層型のチップ部品である。すなわち、図１に示すように、絶縁体４を絶縁層４１〜４５によって構成して、コモンードチョークコイル部１０，２０，３０の導体パターンを絶縁層４１〜４５に形成し、これら絶縁層４１〜４５を、磁性体基板５１上に積層して、最上位に磁性体基板５２を接着した構造になっている。
図４は、１層目のパターンを示す平面図であり、図５は、２層目のパターンを示す平面図であり、図６は、３層目のパターンを示す平面図であり、図７は、４層目のパターンを示す平面図である。
具体的には、図１及び図４に示すように、１層目の絶縁層４１が磁性体基板５１上に設けられ、一方端部２１ａ，１２ａ及びこのコイル３２がこの絶縁層４１上に導体でパターン形成されている。
そして、図１及び図５に示すように、２層目の絶縁層４２がコイル３２等を含む絶縁層４１上に積層され、コイル１２，２１がこの絶縁層４２上に導体でパターン形成されている。このとき、ビアホール４２ａ，４２ｂがコイル１２の他方端部１２ｂの先端下側と内端とに設けられ、他方端部１２ｂと下層のコイル３２の内端とがビアホール４２ａを通じて接続されると共に、コイル１２の内端と一方端部１２ａとがビアホール４２ｂを通じて接続されている。また、コイル２１の内端にもビアホール４２ｃが設けられ、この内端と下層の一方端部２１ａとがビアホール４２ｃを通じて接続されている。
さらに、図１及び図６に示すように、３層目の絶縁層４３が絶縁層４２上に積層され、コイル１１，３１がこの絶縁層４３上に導体でパターン形成されている。
そして、図１及び図７に示すように、４層目の絶縁層４４が絶縁層４３上に積層され、コイル２２と一方端部１１ａ，３１とがこの絶縁層４４上に導体でパターン形成されている。このとき、ビアホール４４ａ，４４ｂが一方端部１１ａ，３１ａの先端下側に設けられ、一方端部１１ａと下層のコイル１１の内端とがビアホール４４ａを通じて接続されると共に、一方端部３１ａとコイル３１の内端とがビアホール４４ｂを通じて接続されている。また、コイル２２の内端にもビアホール４４ｃが設けられ、この内端と下層のコイル１１の他方端部１１ｂとがビアホール４４ｃを通じて接続されている。
そして、絶縁層４５がコイル２２と一方端部１１ａ，３１を覆うように絶縁層４４上に積層され、磁性体基板５２がこの絶縁層４５上に接着層５３によって接着されている。
【００１９】
図８は、コモンモードチョークコイル部１０，２０，３０の配置を示す透過平面図である。なお、理解を容易にするため、図８において、４層目の絶縁層４４上に形成された導体パターンに関しては、黒塗り線で示し、３層目の絶縁層４３上に形成された導体パターンに関しては、実線で示し、２層目の絶縁層４２上に形成された導体パターンに関しては、二点鎖線で示し、１層目の絶縁層４１上に形成された導体パターンに関しては、破線で示した。
上記のように積層型のチップ部品としての構造を有するノイズ対策部品１では、図８に示すように、コモンモードチョークコイル部１０，２０，３０同士を所定距離だけ離した状態で絶縁体４内に形成した。具体的には、コモンモードチョークコイル部１０，２０，３０は、仮想の三角形の頂点に位置するように配置され、互いに磁気的影響を受けないようになっている。
【００２０】
このような構造のノイズ対策部品１の製造方法について簡単に述べておく。
図１及び図４〜図７に示すように、まず、絶縁層４１を、フォトリソ工法で露光及び現像することにより、磁性体基板５１上に形成する。
この実施例では、基板として磁性体基板５１，５２を用いるが、部品の用途により誘電体基板や絶縁体基板を使用しても良いことは勿論である。また、以後のフォトリソ工法で形成する絶縁層４１〜４５やコイル１１〜３１，１２〜３２の形成に支障がないように、磁性体基板５１の表面粗さＲａを０．５μｍ以下になるように研磨することが望ましい。
また、絶縁層４１〜４４としては、ポリイミド樹脂、エポキシ樹脂、ペンゾシクロブテン樹脂等の種々の樹脂材料、又はＳiＯ2等のガラス、ガラスセラミクス、誘電体等のいずれかを使用することができる。この実施例では、絶縁層４１〜４５の材料として感光性ポリイミド樹脂を使用する。
しかる後、導体膜を、この絶縁層４１の上にスパッタリングや蒸着等の薄膜形成法又はスクリーン印刷等の成膜技術を用いて成膜し、レジスト塗布−露光−現像−エッチング等の一連のフォトリソ技術を用いて、一方端部１２ａ，２１ａ及びコイル３２をパターン形成する。
導体膜の材料としては、導電性に優れたＡｇ，Ｐｄ，Ｃｕ及びＡｌ等の金属、又はこれら金属の合金を使用することが望ましい。この実施例では、導体膜の材料としてＡｇを使用する。
次に、ビアホール４２ａ〜４２ｃのための孔を有した絶縁層４２をフォトリソ工法を用いて、一方端部１２ａ，２１ａ及びコイル３２を覆うように絶縁層４１上に積層した後、上記と同様に、Ａｇの導体膜を、この絶縁層４２の上に成膜し、レジスト塗布−露光−現像−エッチング等の一連のフォトリソ技術を用いて、コイル１２，２１をパターン形成する。これにより、コイル１２とコイル３２とがビアホール４２ａ，４２ｂを通じて電気的に接続され、コイル２１と一方端部２１ａとがビアホール４２ｃを通じて電気的に接続される。
以後、コイル１１，３１が形成された絶縁層４３と一方端部１１ａ，３１ａ及びコイル２２が形成された絶縁層４４とを、上記と同様にして積層形成し、絶縁層４５を最上層に積層する。
【００２１】
そして、接着層５３を磁性体基板５２の下面に塗布形成して、磁性体基板５２を絶縁層４５上に接合する。
かかる磁性体基板５２の接合は、真空中又は不活性ガス中にて加熱及び加圧し、冷却した後、圧力を解除するという工程によって実現する。
ここで、この実施例では、接着層５３の材料として熱硬化性のポリイミド樹脂を用いる。しかしながら、ノイズ対策部品１のリフロー実装時の際に、２６０°前後に加熱されるので、接着層５３の材料のガラス転移温度として２７０°Ｃ以上のものを用いることが望ましい。また、磁性体基板５２の接合時には、３５０°Ｃ〜３９０°Ｃの高温を加えて、磁性体基板５２を絶縁層４５に熱圧着する。この高温時に、材料からガスが流出すると、接着層５３内に空孔を作ってしまう。この空孔は、密着力の低下を招く。また、この空孔内に湿気がたまると、コイル１１〜３１，１２〜３２等の短絡の原因になる。このため、接着層５３は、耐熱温度が４００°Ｃ以上のものを使用することが望ましい。
【００２２】
上記のような基板接合工程を経た後、ノイズ対策部品１のチップをダイシング等の切断加工によってマザー基板から切り出して分割し、内部のコイル１１〜３１，１２〜３２に接続される外部電極６−１〜６−８を、各ノイズ対策部品１のチップ側面に形成する。
かかる外部電極６−１〜６−８の形成は、例えば、Ａｇ，Ａｂ−Ｐｄ，Ｃｕ，ＮｉＣｒ又はＮｉＣｕ等を含む導電性ペーストを塗布したり、これらの金属をスパッタリングや蒸着等で成膜した後、その表面に、Ｎｉ，Ｓｎ，Ｓｎ−Ｐｂ等の金属膜を、湿式電解メッキ等によって成膜することで行う。このようにして、ノイズ対策部品１を製造することができる。
【００２３】
次に、この実施例のノイズ対策部品が示す作用及び効果について説明する。
図９は、ノイズ対策部品１の実装状態を示す斜視図であり、図１０は、ディファレンシャルモード時の作用を説明するための概略等価回路図であり、図１１は、１次コモンモード時の作用を説明するための概略等価回路図であり、図１２は、２次コモンモード時の作用を説明するための概略等価回路図である。
【００２４】
図９に示すように、外部電極６−１，６−２を、伝送ケーブル１２０の１対の差動伝送線路１２２，１２３の入力側（図の上側の線路）に接続すると共に、外部電極６−５，６−６を出力側に接続し、外部電極６−３，６−４を１対のグランド線路１２１，１２４の入力側に接続すると共に、外部電極６−７，６−８を出力側に接続することで、ノイズ対策部品１を伝送ケーブル１２０上に実装することができる。なお、伝送ケーブル１２０における「入力側」及び「出力側」なる文言は、理解を容易にするため便宜上用いたものであり、実際には、伝送ケーブル１２０の「入力側」及び「出力側」が上記とは逆になることがあることは勿論である。
【００２５】
ディファレンシャルモード時には、図１０に示すように、１対の差動信号の電流Ｉ，−Ｉが差動伝送線路１２２，１２３を流れる。
このモード時には、差動伝送線路１２２から外部電極６−１を通じて入力した差動信号の電流Ｉが、コモンモードチョークコイル部１０のコイル１１からコモンモードチョークコイル部２０のコイル２２を流れる。そして、この電流Ｉは、外部電極６−５を通じて、差動伝送線路１２２に出力される。一方の差動信号の電流−Ｉは、上記電流Ｉと逆方向であり、差動伝送線路１２３から外部電極６−６に入力し、コモンモードチョークコイル部３０のコイル３２を通じてコモンモードチョークコイル部１０のコイル１２を流れる。そして、この電流−Ｉは、外部電極６−２を通じて、差動伝送線路１２３に出力される。
したがって、ディファレンシャルモードでは、１対の差動信号の電流Ｉ，−Ｉがコモンモードチョークコイル部１０のコイル１１とコイル１２とを逆方向に流れる。このため、コイル１１とコイル１２の周りに生じる磁束（図示省略）が、逆回りになって、互いに打ち消し合う。
また、コモンモードチョークコイル部２０，３０においては、各電流Ｉ，−Ｉが一方のコイル２２，３２のみに流れるので、これらの電流Ｉ，−Ｉによる磁束の増加は生じない。
したがって、ディファレンシャルモード時には、ノイズ対策部品１において、インピーダンスの増加が生じないので、１対の差動信号の電流Ｉ，−Ｉが、ノイズ対策部品１内を円滑に流れる。
【００２６】
また、１次コモンモード時には、図１１に示すように、１対の電流Ｉ，Ｉが差動伝送線路１２２，１２３を流れ、１対の電流−Ｉ，−Ｉがグランド線路１２１，１２４を流れる。
このモード時には、差動伝送線路１２２，１２３から外部電極６−１，６−２を通じて入力した同方向の１対のコモンモード電流Ｉ，Ｉが、コモンモードチョークコイル部１０のコイル１１，１２を流れる。このとき、コイル１１，１２の周りに生じる磁束は同方向になるので、互いに磁束を強め合う。このため、この部分のインピーダンスが増加し、これらのコモンモード電流Ｉ，Ｉが、コモンモードチョークコイル部１０によって減衰される。
このとき、逆方向の１対の電流−Ｉ，−Ｉは、グランド線路１２１，１２４から入力して、コモンモードチョークコイル部２０，３０のコイル２１，３１に流れる。しかし、コモンモードチョークコイル部１０がコモンモードチョークコイル部２０，３０から上記所定距離だけ離れているので、コイル２１，３１に流れる電流−Ｉ，−Ｉの磁束によるコモンモードチョークコイル部１０への影響は生じない。
したがって、１次コモンモード時には、侵入したコモンモード電流Ｉ，Ｉがコモンモードチョークコイル部１０によって、確実に減衰されるので、これらコモンモード電流Ｉ，Ｉによるノイズの輻射が伝送ケーブル１２０で発生することはない。
【００２７】
さらに、２次コモンモード時には、図１２に示すように、同方向の２対の電流Ｉ，Ｉが差動伝送線路１２１〜１２４を流れる。
このモード時には、差動伝送線路１２２から外部電極６−１を通じて入力した電流Ｉが、コモンモードチョークコイル部１０のコイル１１を通じてコモンモードチョークコイル部２０のコイル２２に流れる。同時に、グランド線路１２１から外部電極６−３を通じて入力した電流Ｉが、コモンモードチョークコイル部２０のコイル２１に流れる。このように、コモンモードチョークコイル部２０のコイル２１，２２を流れる電流Ｉ，Ｉは、同方向のコモンモード電流であるので、互いに磁束を強め合い、この部分のインピーダンスが増加する。この結果、差動伝送線路１２２及びグランド線路１２１から外部電極６−１，６−３を通じて入力した同方向のコモンモード電流Ｉ，Ｉは、コモンモードチョークコイル部２０によって確実に減衰される。
一方、差動伝送線路１２３から外部電極６−２を通じて入力した電流Ｉは、コモンモードチョークコイル部１０のコイル１２を通じてコモンモードチョークコイル部３０のコイル３２に流れる。同時に、グランド線路１２４から外部電極６−４を通じて入力した電流Ｉは、コモンモードチョークコイル部３０のコイル３１に流れる。この場合も、同方向のコモンモード電流Ｉ，Ｉがコモンモードチョークコイル部３０のコイル３１，３２を流れるので、互いに磁束を強め合い、この部分のインピーダンスが増加する。この結果、差動伝送線路１２３及びグランド線路１２４から外部電極６−２，６−４を通じて入力した同方向のコモンモード電流Ｉ，Ｉは、コモンモードチョークコイル部３０によって確実に減衰される。
したがって、２次コモンモード時には、線路１２１，１２２から侵入した１対のコモンモード電流Ｉ，Ｉが、コモンモードチョークコイル部２０によって減衰され、線路１２３，１２４から侵入した１対のコモンモード電流Ｉ，Ｉが、コモンモードチョークコイル部３０によって減衰されるので、これらコモンモード電流Ｉ，Ｉによるノイズの輻射が伝送ケーブル１２０で発生することはない。
【００２８】
このように、この実施例のノイズ対策部品１によれば、ディファレンシャルモード時には、１対の差動信号の電流を円滑に通過させ、１次コモンモードの場合には、差動伝送線路から侵入したコモンモード電流をコモンモードチョークコイル部１０で減衰させ、２次コモンモードの場合には、差動伝送線路及びグランド線路から侵入したコモンモード電流をコモンモードチョークコイル部２０，３０でそれぞれ減衰させることができるので、１次コモンモードのコモンモード電流と２次コモンモードのコモンモード電流との双方を確実に除去することができる。しかも、１チップのノイズ対策部品１によって、全てのモードに対応することができるので、実装面積をより一層狭小化することができる。
【００２９】
発明者等は、かかる効果を確認すべく、次のような簡単な実験を行った。
図１３は、実験の回路構成図であり、図１４は、実験の結果を示す線図である。
この実験では、３つの独立のコモンモードチョークコイル２０１〜２０３を、この実施例の３つのコモンモードチョークコイル部１０〜３０の様に、差動伝送線路１２２，１２３及びグランド線路１２１，１２４に実装した。そして、コモンモードチョークコイル２０２，２０３の出力側に伝送ケーブル２１１〜２１４を接続し、伝送ケーブル２１１，２１２を抵抗２２１で終端すると共に伝送ケーブル２１３，２１４を抵抗２２２で終端した。かかる状態で、同方向のコモンモード電流Ｉを差動伝送線路１２２，１２３及びグランド線路１２１，１２４に流して、２次コモンモード状態にし、伝送ケーブル２１１〜２１４から輻射されるノイズＮを測定した。すると、図１４の透過率曲線Ｓ１で示すように、コモンモード電流Ｉの透過率Ｓｓｃ１２が、３０ＭＨｚ〜１ＧＨｚの範囲で、「−８０ｄＢ」の近傍であった。
次に、コモンモードチョークコイル２０２，２０３を実装しない状態で、同方向のコモンモード電流Ｉを差動伝送線路１２２，１２３及びグランド線路１２１，１２４に流し、透過率Ｓｓｃ１２を測定したところ、透過率曲線Ｓ２で示すように、３０ＭＨｚ〜１ＧＨｚの範囲で、「−６０ｄＢ」の近傍であった。
このことから、３つのコモンモードチョークコイル２０１〜２０３を、差動伝送線路１２２，１２３及びグランド線路１２１，１２４に実装することで、ノイズ輻射を大きく減衰させることができることを確認することができた。なお、図１４において、曲線Ｓ０は、フロアレベルの透過率を示す。
【実施例２】
【００３０】
次に、この発明の第２実施例について説明する。
図１５は、この発明の第２実施例に係るノイズ対策部品１の概略等価回路図であり、図１６は、ノイズ対策部品１の要部を示す分解斜視図であり、図１７は、コンデンサ部の形成位置を示す透過平面図である。
この実施例は、コンデンサ部を備えていることが、上記第１実施例と異なる。
すなわち、図１５に示すように、第１のコンデンサ部としてのコンデンサ部７−１を、コモンモードチョークコイル部２０におけるコイル２１の一方端部２１ａとコモンモードチョークコイル部１０におけるコイル１１との間に形成すると共に、第２のコンデンサ部としてのコンデンサ部７−２を、コモンモードチョークコイル部３０におけるコイル３１の一方端部３１ａとコモンモードチョークコイル部１０におけるコイル１２との間に形成した。
【００３１】
具体的には、図１６に示すように、幅広の電極部７１を、１層目の一方端部２１ａ上に形成し、３層目のコイル１１に近接させた状態に配置して、コンデンサ部７−１を電極部７１とコイル１１との間に形成する。そして、電極部７１と同形の電極部７２を、４層目の一方端部３１ａ上に形成し、２層目のコイル１２に近接させた状態に配置して、コンデンサ部７−２を電極部７２とコイル１２との間に形成する。
すなわち、図１７に示すように、ノイズ対策部品１を上方から見た状態で、電極部７１がコイル１１に隣接し、電極部７２がコイル１２に隣接した状態になるように、電極部７１，７２を形成する。
【００３２】
次に、この実施例のノイズ対策部品が示す作用及び効果について説明する。
図１８は、この実施例のノイズ対策部品１が示す作用を説明するための概略回路図である。
１次コモンモード時に、電極部７１，７２とコイル１１，１２との距離や電極部７１，７２の大きさなどを変え、コモンモードチョークコイル部１０で除去できない高い周波数範囲のコモンモード電流Ｎ，Ｎが通過するように、コンデンサ部７−１，７−２の容量を調整しておく。
１次コモンモード時においては、電位差が外部電極６−１，６−３間や外部電極６−２，６−４間に生じる。すなわち、コンデンサ部７−１，７−２の両端に電位差が生じるので、図１８に示すように、コモンモード電流Ｎ，Ｎが外部電極６−１，６−２からコモンモードチョークコイル部１０のコイル１１，１２に侵入すると、コンデンサ部７−１，７−２を通じて、コモンモードチョークコイル部２０，３０における各コイル２１，３１の一方端部２１ａ，３１ａ側に流れ込み、外部電極６−３，６−４を通じてグランド線路１２１，１２４に流出する。
なお、２次コモンモード時においては、コンデンサ部７−１，７−２の両端に電位差が生じないため、外部電極６−１，６−２から入力したコモンモード電流が、コンデンサ部７−１，７−２に流れ込むことはない。
その他の構成、作用及び効果は、上記第１実施例と同様であるので、その記載は省略する。
【実施例３】
【００３３】
次に、この発明の第３実施例について説明する。
図１９は、この発明の第３実施例に係るノイズ対策部品１の要部を示す分解斜視図である。
この実施例は、電極部７１，７２の形成位置が、上記第２実施例と異なる。
すなわち、図１９に示すように、コモンモードチョークコイル部２０におけるコイル２１の一方端部２１ａを、３層目の絶縁層４３上に形成し、電極部７１をこの一方端部２１ａ上に形成して、コイル１１と隣接させた。これにより、コンデンサ部７−１が、隣接する電極部７１とコイル１１の縁部との間に形成される。また、コモンモードチョークコイル部３０におけるコイル３１の一方端部３１ａを、２層目の絶縁層４２上に形成し、電極部７２をこの一方端部３１ａ上に形成して、コイル１２と隣接させた。これにより、コンデンサ部７−２が、隣接する電極部７２とコイル１２の縁部との間に形成される。
その他の構成、作用及び効果は、上記第２実施例と同様であるので、その記載は省略する。
【図面の簡単な説明】
【００３４】
【図１】この発明の第１実施例に係るノイズ対策部品の分解斜視図である。
【図２】内部を透過して示すノイズ対策部品の斜視図である。
【図３】ノイズ対策部品の概略等価回路図である。
【図４】１層目のパターンを示す平面図である。
【図５】２層目のパターンを示す平面図である。
【図６】３層目のパターンを示す平面図である。
【図７】４層目のパターンを示す平面図である。
【図８】コモンモードチョークコイル部の配置を示す透過平面図である。
【図９】ノイズ対策部品の実装状態を示す斜視図である。
【図１０】ディファレンシャルモード時の作用を説明するための概略等価回路図である。
【図１１】１次コモンモード時の作用を説明するための概略等価回路図である。
【図１２】２次コモンモード時の作用を説明するための概略等価回路図である。
【図１３】実験の回路構成図である。
【図１４】実験の結果を示す線図である。
【図１５】この発明の第２実施例に係るノイズ対策部品の概略等価回路図である。
【図１６】ノイズ対策部品の要部を示す分解斜視図である。
【図１７】コンデンサ部の形成位置を示す透過平面図である。
【図１８】この実施例のノイズ対策部品が示す作用を説明するための概略回路図である。
【図１９】この発明の第３実施例に係るノイズ対策部品の要部を示す分解斜視図である。
【図２０】２次コモンモードの電流を減衰可能な従来技術の一例を示す回路図である。
【図２１】従来技術の作用を説明するための回路図である。
【図２２】従来技術の問題点を説明するための回路図である。
【符号の説明】
【００３５】
１…ノイズ対策部品、  ４…絶縁体、  ４ａ，４ｂ…外側面、  ６−１〜６−８…外部電極、  ７−１，７−２…コンデンサ部、  １０，２０，３０…コモンモードチョークコイル部、  １１，１２，２１，２２，３１，３２…コイル、  １１ａ，１２ａ，２１ａ，２２ａ，３１ａ，３２ａ…一方端部、  １１ｂ，１２ｂ，２１ｂ，２２ｂ，３１ｂ，３２ｂ…他方端部、  ４１〜４５…絶縁層、  ４２…絶縁層、  ４２ａ〜４２ｃ，４４ａ〜４４ｃ…ビアホール、  ５１，５２…磁性体基板、  ５３…接着層、  ７１，７２…電極部、  Ｉ…電流、  ｈ，Ｈ…磁束。
【図１】
0004716050.tif 000002
【図２】
0004716050.tif 000003
【図３】
0004716050.tif 000004
【図４】
0004716050.tif 000005
【図５】
0004716050.tif 000006
【図６】
0004716050.tif 000007
【図７】
0004716050.tif 000008
【図８】
0004716050.tif 000009
【図９】
0004716050.tif 000010
【図１０】
0004716050.tif 000011
【図１１】
0004716050.tif 000012
【図１２】
0004716050.tif 000013
【図１３】
0004716050.tif 000014
【図１４】
0004716050.tif 000015
【図１５】
0004716050.tif 000016
【図１６】
0004716050.tif 000017
【図１７】
0004716050.tif 000018
【図１８】
0004716050.tif 000019
【図１９】
0004716050.tif 000020
【図２０】
0004716050.tif 000021
【図２１】
0004716050.tif 000022
【図２２】
0004716050.tif 000023